(57)【特許請求の範囲】
【請求項１】
複数のトマトの苗を定植した後に、主茎を、第１花房より上方に２本目の枝葉の基端部と３本目の枝葉の基端部との間にて、又は上記３本目の枝葉の基端部と第２花房の枝の基端部との間にて摘心するとともに、上記第１花房より上方の枝葉を、その先端部が基端部よりも上方に位置するように固定した状態で上記第１花房の各花を育成して、開花させた後に、当該各花から果実を実らせることを特徴とするトマトの一段密植栽培方法。
【請求項２】
上記第１花房より上方の枝葉を、その先端側を上方に押し上げて、線状体又は網状体からなる整枝手段により、上記先端部が基端部よりも上方に位置するように固定した状態で上記第１花房の各花を育成することを特徴とする請求項１に記載のトマトの一段密植栽培方法。
【請求項３】
複数のトマトの苗を上記第１花房が同一方向に向くように定植した後に、上記主茎を、上記第１花房より上方に３本目の枝葉の基端部と第２花房の枝の基端部との間にて摘心するとともに、上記第１花房より上方に２本目の枝葉と３本目の枝葉とを、上記複数のトマトの苗の定植方向に沿って上記主茎を挟む両側にそれぞれ設けられた上記整枝手段により固定した状態で上記第１花房の各花を育成して、開花させた後に、当該各花から果実を実らせることを特徴とする請求項１または２に記載のトマトの一段密植栽培方法。
【発明の詳細な説明】
【技術分野】
【０００１】
本発明は、第１花房の一段の花房のみを着生させて、この花房を構成するそれぞれの花を開花させた後に、各花の受粉等によって果実を実らせて収穫するトマトの一段密植栽培方法に関するものである。
【背景技術】
【０００２】
トマトの栽培は、一般的に、播種して育苗した苗を、３０〜５０ｃｍ間隔で第１花房を同一方向に向けて定植させた後、約半年間の栽培によって上下方向に６段〜１２段の花房をそれぞれ着生させて、これら花房を構成するそれぞれの花を開花させた後に、各花の受粉等によって果実を実らせる。このようにして、各段の花房を構成する花から果実が実ることによって、それぞれ果実の集合体である６段〜１２段の果房が構成されており、次いで、トマトの栽培は、これら果房を構成する果実をそれぞれ育成して、収穫することにより行われている。
中には、トマトの栽培方法として、２０段〜３０段の花房を着生させて、上述の方法と同様に果房を実らせることにより、一年近くかけて果実を収穫するいわゆる長段取りと称される手法もある。
【０００３】
しかしながら、上述のような６段〜３０段の果実を収穫するトマトの栽培は、樹勢を長期間安定的に維持するための栽培管理が難しく、果実の空洞化や小玉果が多発して、収量や品質を低下させてしまうという問題があるとともに、栽培中に病害虫が蔓延すると、栽培が続けられなくなるリスクがあるため、定期的な防除が必要であるという欠点があった。また、果房の段数が増加した分だけ、高所での作業が増えるという欠点もあった。
【０００４】
これに対して、トマトの栽培方法としては、栽培管理が容易な一段の果房だけを実らせる一段密植栽培があるものの、この一段密植栽培は、栽培期間が約１ヶ月〜３ヶ月と短いことから、６段〜３０段の場合と同等数の果実を実らせるために作付け回数や一作あたりの栽植本数を多くする必要があり、季節を問わず大量の苗を必要とする。このため、特に、高温期や低温期の育苗等が難しい上に、大量の苗を育成するのにコストが嵩んでしまうことから、この一段密植栽培は、利用されてこなかった。
【０００５】
しかしながら、近年、本発明者らは、特許文献１に示すように、台木および穂木の育成と接ぎ木苗の養生とを可能にした人工照明装置を用いた苗生産装置を開発することにより、通年に亘っての苗生産を容易にするとともに、イニシャルコストおよびランニングコストの低減を可能にした。これにより、このトマトの一段密植栽培は、その利用が現実的なものとなった。
【０００６】
ところが、トマトの一段密植栽培では、苗を狭い間隔で定植するために、図３に示すように、第１花房の上方の枝葉１１、１２、１３のみならず、隣接する主茎４の枝葉１１、１２、１３が花房やそれが生育した果房１０の上方に覆い被さって果房１０等に日光が当たらなくなってしまう。その結果、空洞果の増加、果実７の内部における維管束に黒いすじが入ってしまうスジクサレ果の増加、果実７の色艶の低下や果実７の糖分、ビタミンおよび酸の含有量低下等の果実７の品質低下を招きうるという問題がある。さらには、トマトの一段密植栽培では、上記果実７の品質低下に加えて、育成途中での落果やハイイロカビ病など果実７に発生する病害による出荷果数減少の問題や、日陰の果実７の肥大速度の低下や着色の遅れによる開花から収穫までの成熟日数長期化の問題もある。
【０００７】
加えて、この一段密植栽培では、枝葉１１、１２、１３が互いに覆い被さって群落をなすため、他の葉の陰に入ってしまっている陰葉が光合成能力の低下により早期に黄化する等の寿命の短命化によって果実７の収量低下や品質低下の原因となり得る。また、この群落による風通しの悪化は、群落内部が蒸れてハカビ病やハイイロカビ病等の葉の病気が発生し易くなるだけでなく、周囲の二酸化炭素濃度が低いまま維持されてしまうことから各葉の光合成能力の低下により果実７の収量低下や品質低下の原因となる。さらに、この一段密植栽培では、果房１０が葉の陰に隠れてしまうため、果実７を探し難くなることから、収穫の作業効率が低下するだけでなく、葉の裏面への薬剤の散布が非常に難しくなることから、薬剤が葉の裏面全体に行き渡らず、薬剤の散布効果が不十分になってしまうという欠点がある。
【０００８】
【特許文献１】特再公表２００６−０００００５号公報
【発明の開示】
【発明が解決しようとする課題】
【０００９】
そこで、本発明は、果実品質の低下、出荷果数減少、成熟日数長期化、作業効率の低下や薬剤散布効果が不十分になってしまうことを防止できるトマトの一段密植栽培方法を提供することを課題とするものである。
【課題を解決するための手段】
【００１０】
本発明者らは、果実品質の低下、出荷果数減少、成熟日数長期化、作業効率の低下や薬剤散布効果が不十分になってしまう全ての原因が、果房に上方の枝葉や隣接する主茎の枝葉が覆い被さって、果房等や陰葉に日光が当たらないことや、群落内部が蒸れてしまうことによるものであることを見出し、以下の請求項１および２に係る本発明を完成するに至ったものである。
【００１１】
すなわち、請求項１に記載の本願発明に係るトマトの一段密植栽培方法は、複数のトマトの苗を定植した後に、主茎を、第１花房より上方に２本目の枝葉の基端部と３本目の枝葉の基端部との間にて、又は上記３本目の枝葉の基端部と第２花房の枝の基端部との間にて摘心するとともに、上記第１花房より上方の枝葉を、その先端部が基端部よりも上方に位置するように固定した状態で上記第１花房の各花を育成して、開花させた後に、当該各花から果実を実らせることを特徴とするものである。
【００１２】
請求項２に記載の発明は、請求項１に記載のトマトの一段密植栽培方法において、上記第１花房より上方の枝葉を、その先端側を上方に押し上げて、線状体又は網状体からなる整枝手段により、上記先端部が基端部よりも上方に位置するように固定した状態で上記第１花房の各花を育成することを特徴とするものである。
ここで、線状体とは、紐、針金や棒等の線状のものを意味しており、網状体とは、網の他に、複数本の上記紐等の線状体を結ぶ等により形成した網状のものを含む意味である。
【００１３】
請求項３に記載の発明は、請求項１または２に記載のトマトの一段密植栽培方法において、複数のトマトの苗を上記第１花房が同一方向に向くように定植した後に、上記主茎を、上記第１花房より上方に３本目の枝葉の基端部と第２花房の枝の基端部との間にて摘心するとともに、上記第１花房より上方に２本目の枝葉と３本目の枝葉とを、上記複数のトマトの苗の定植方向に沿って上記主茎を挟む両側にそれぞれ設けられた上記整枝手段により固定した状態で上記第１花房の各花を育成して、開花させた後に、当該各花から果実を実らせることを特徴とするものである。
【発明の効果】
【００１４】
請求項１〜３に記載のトマトの一段密植栽培方法によれば、第１花房より上方の枝葉を、その先端部が基端部よりも上方に位置するように固定した状態で、第１花房の各花を育成したため、これらの枝葉が第１花房やそれが生育した第１果房の上に被さることを防止でき、その結果、第１果房に日光を充分に当てることができ、果房等に対する日光の照射量不足を原因とする空洞果等の果実品質の低下、落果等による出荷果数の減少、成熟日数の長期化を防止することができる。
【００１５】
加えて、第１花房より上方の枝葉を、その先端部が基端部よりも上方に位置するように固定することによって、第１花房より上方に２本目や３本目の枝葉が、同１本目や２本目の枝葉の上に被さることにより生じるこれらの葉の光合成能力の低下による果実品質の低下を抑制できる。
その上、第１果房と枝葉との間に空間が形成されるため、風通しの悪化を抑制することができ、さらには、第１果房の下の枝葉にも充分に日光を当てることができるため、第１花房の育成を促進させることができるとともに、容易に薬剤を第１花房の上方の枝葉や下方の枝葉における葉の裏面全体に散布することができる。
【００１６】
また、上述のように第１花房より上方の枝葉を残しても、これらの枝葉によって日光が遮られることや風通しが悪化することを抑制できるため、第１花房より上方に２本目の枝葉と３本目の枝葉との間にて、又は、３本目の枝葉と第２花房との間にて主茎を摘心することにより、第１花房より上方の２本又は３本の枝葉を残して、これらの枝葉の葉による光合成によって、果実の収量や品質を向上させることができる。
【００１７】
特に、請求項２に記載の発明によれば、第１花房より上方の枝葉を、その先端側を上方に押し上げて、線状体又は網状体からなる整枝手段により、その先端部が基端部よりも上方に位置するように固定したため、上記枝葉を安定的に固定することができ、さらには、整枝手段によって、日光が遮られることや通気性が阻害されることを防止して、上述の果実品質の低下等を効果的に防止できるため、効率的にトマトを栽培することができる。
【００１８】
また、請求項３に記載の発明のように、複数のトマトの苗を第１花房が同一方向に向くように定植することによって、全ての苗の枝葉が同一方向に伸びて、特に、第１花房より直ぐ上方の1本目の枝葉が主茎を中心に第１花房の伸びる方向に対して約１８０℃の方向となる同一方向に伸びる。このため、１本目の枝葉を整枝手段によって固定することなく、そのままの状態に放置しても、1本目の枝葉がそのトマトの苗や隣接するトマトの苗における第１花房の上方に被さることもないため、主茎を上記第１花房より上方に３本目の枝葉の基端部と第２花房の枝の基端部との間にて摘心して、第１花房より上方に２本目の枝葉と３本目の枝葉とを、その先端部が基端部よりも上方に位置するように整枝手段によって固定することにより、全ての枝葉や花房に日光を十分に当てることができ、風通しの悪化を抑制できる。従って、定植方向に沿って主茎を挟む両側にそれぞれ設けられた整枝手段によって２本目の枝葉または３本目の枝葉の一方ずつを固定でき、それによって、全ての枝葉や花房に日光を十分に当てることも、風通しの悪化を抑制することもでき、３本目の枝葉を残して、より多くの葉による光合成によって果実の収量や品質を向上させることができる。
【発明を実施するための最良の形態】
【００１９】
以下に、本発明に係るトマトの一段密植栽培方法の一実施形態について、図１および図２を用いて説明する。
本実施形態のトマトの一段密植栽培方法は、まずトマトの苗を、南北方向に向けて設置された細長状の湛液式水耕ベット９に、第１花房の枝１４が主茎４から西（同一方位）に向けて水耕ベット９と直交して伸びるように、１０ｃｍ〜２０ｃｍの間隔で定植する。
【００２０】
ここで、各花房の直ぐ上方の１本目の枝葉１１は、主茎４を中心に各花房の枝１４が伸びる方向に対して約１８０℃の方向に伸びる特性、すなわち、東側に伸びる特性を有する。また、同上方に２本目の枝葉１２は、主茎４を中心に１本目の枝葉１１に対して時計回り又は反時計回りに約９０℃の方向に、同３本目の枝葉１３は、主茎４を中心に２本目の枝葉１２に対して約１８０℃の方向にそれぞれ伸びる特性を有している。これにより、２本目および３本目の枝葉１２、１３が主茎４を中心に花房の枝１４が伸びる方向に対して約９０℃の方向にそれぞれ伸びる。
【００２１】
次いで、トマトの苗を育成することにより、第１花房の最も主茎４側に位置する１番花が開花するため、この１番花の開花後の３日目〜７日目の間に、第１花房の上方の２本の枝葉１１、１２を残すように、主茎４を上記第１花房より上方に２本目の枝葉１２の基端部と３本目の枝葉１３の基端部との間にて摘心した後、側芽を摘み取りつつ各花房を育成する。
次ぎに、第１花房が開花した日から８日〜１２日後に、これらの枝葉１１、１２の先端側を、上方に押し上げて整枝手段５に固定させる。その間にも、第１花房の各花が次々に開花する。
【００２２】
なお、整枝手段５は、水耕ベット９の東側および西側に、それぞれ地際部から５０ｃｍ〜７０ｃｍの範囲内の所定の高さに設置した。
各整枝手段５は、すべてのトマトの主茎４からそれぞれ東側又は西側に５ｃｍ〜１０ｃｍ離間した第１の位置と、同様に１５ｃｍ〜２５ｃｍ離間した第２の位置とに紐５０が水耕ベット９と平行かつ水平に配設されている。そして、第１の位置と第２の位置とに設置された紐５０は、両者の間に５ｃｍ〜１５ｃｍの間隔をあけて配設されており、各整枝手段５は、それぞれ第１の位置に設置された紐５０と第２の位置に設置された紐５０との２条の紐５０によって構成されている。
【００２３】
従って、第１花房の直ぐ上方の１本目の枝葉１１が花房の枝１４に対して１８０℃の方向に、すなわち、水耕ベット９の東側の整枝手段５の方向に伸びる。
このため、１本目の枝葉１１の先端側を、上方に押し上げることにより、東側の整枝手段５に固定させる。
【００２４】
他方、第１花房より上方に２本目の枝葉１２が花房の枝１４に対して約９０℃の方向に、すなわち、水耕ベット９に沿って南北方向にそれぞれ伸びる。このため、２本目の枝葉１２は、単に、上方に押し上げても、その先端部が整枝手段５と離間して位置することにより、整枝手段５に固定させられないことがある。
【００２５】
その場合には、２本目の枝葉１２の先端側を、隣接する主茎４やその枝葉１１、１２の間から整枝手段５に向けて、東側又は西側に向けて押し込みつつ、上方に押し上げて整枝手段５に固定させ、より好ましくは、西側に向けて押し込みつつ、上方に押し上げて西側の整枝手段５に固定させる。
すると、１本目の枝葉１１が東側の整枝手段５に固定され、２本目の枝葉１２が西側の整枝手段５に固定されるため、枝葉１１、１２同士の重なりが防止される。
【００２６】
これにより、１本目および２本目の枝葉１１、１２は、整枝手段５により、その先端部が基端部よりも上方に位置するように固定される。このため、第１花房の上方の枝葉１１、１２が垂下することにより、花房の上方に覆い被さって日光を遮ることや、枝葉１１、１２同士が被さることによる陰葉の光合成不足が防止される。
さらには、第１花房の上方の枝葉１１、１２や第１花房のみならず、その下の枝葉１８にも充分に日光が当たることから、第１花房の生育が促される。
【００２７】
そして、第１花房の各花の受粉等によって果実７が実り、これらの果実７の集合体である第１果房１０が構成された後に、十分に日光を浴びて生育した第１果房１０の各果実７を収穫する。
【００２８】
上述のトマトの一段密植栽培方法によれば、複数のトマトの苗を南北方向に設置された水耕ベット９に定植した後に、第１花房の上方の２本の枝葉１１、１２を、その先端側を上方に押し上げて、整枝手段５により、その先端部が基端部よりも上方に位置するように固定したため、すべての枝葉１１、１２、花房及びこれが生育した果房１０並びにその下の枝葉１８が充分に日光を浴びることができる。
このため、枝葉１１、１２の日射量不足や花房および果房１０の日射量不足を原因とする空洞果等の果実７の収量低下や品質低下、落果等による出荷果数の減少、成熟日数の長期化を効果的に防止することができる。
【００２９】
特に、１本目の枝葉１１を東側の整枝手段５に、２本目の枝葉１２を西側の整枝手段５に固定することによって、１本目の枝葉１１の上方に２本目の枝葉１２が被さることを防止できるため、１本目の枝葉１１の陰葉の光合成能力の低下による寿命の短命化によって、果実７の収量低下や品質低下を招くことを防止できる。
【００３０】
さらには、各枝葉１１、１２を、その大きさ等にあわせて、第１の位置の紐５０の上方から第２の位置の紐５０の下方に配置することによって、又は両者の紐５０の間から第２の位置の紐５０の上方に配置することによって固定することができる。
このため、枝葉１１、１２と果房１０との間に空間を設けて通気性を積極的に確保できるだけでなく、整枝手段５によって、日光が遮られることや通気性が阻害されることを防止できる上に、整枝手段５により葉の裏面全体への薬剤散布が阻害されることもなく、栽培管理を効率的に行うことができる。
【００３１】
次いで、本発明に係るトマトの一段密植栽培方法のその他の実施形態について、図３および図４を用いて説明する。
なお、上述の実施形態と同一の構成については、同一の符号を用いることにより説明を簡略する。
【００３２】
本実施形態のトマトの一段密植栽培方法は、まずトマトの苗を、南北方向に向けて設置された細長状の湛液式水耕ベット９に、第１花房の枝１４が主茎４から東（同一方向）に向けて水耕ベット９と直交して伸びるように、１０ｃｍ〜２０ｃｍの間隔で定植する。
【００３３】
ここで、各花房の直ぐ上方の１本目の枝葉１１は、主茎４を中心に各花房の枝１４が伸びる方向に対して約１８０℃の方向に伸びる特性、すなわち、西側に伸びる特性を有する。また、同上方に２本目の枝葉１２は、主茎４を中心に１本目の枝葉１１に対して時計回り又は反時計回りに約９０℃の方向に、同３本目の枝葉１３は、主茎４を中心に２本目の枝葉１２に対して約１８０℃の方向にそれぞれ伸びる特性を有している。これにより、２本目および３本目の枝葉１２、１３が主茎４を中心に花房の枝１４が伸びる方向に対して約９０℃の方向にそれぞれ伸びる。
【００３４】
次いで、トマトの苗を育成することにより、第１花房の最も主茎４側に位置する１番花が開花するため、この１番花の開花日からその後７日の間に、第１花房の上方の３本の枝葉１１、１２、１３を残すように、主茎４を上記第１花房より上方に３本目の枝葉１３の基端部と第２花房の枝の基端部との間にて摘心した後、側芽を摘み取りつつ各花房を育成する。
次ぎに、第１花房が開花した日から８日〜１２日後に、これらの枝葉１２、１３の先端側を、上方に押し上げて整枝手段５に固定させる。その間にも、第１花房の各花が次々に開花する。
【００３５】
なお、整枝手段５は、水耕ベット９の東側および西側に、それぞれ地際部から５５ｃｍ〜７５ｃｍの範囲内の所定の高さに設置した。
各整枝手段５は、すべてのトマトの主茎４からそれぞれ東側又は西側に５ｃｍ〜１０ｃｍ離間した第１の位置と、同様に１５ｃｍ〜２５ｃｍ離間した第２の位置とに紐５０が水耕ベット９と平行かつ水平に配設されている。そして、第１の位置と第２の位置とに設置された紐５０は、両者の間に５ｃｍ〜１５ｃｍの間隔をあけて配設されており、各整枝手段５は、それぞれ第１の位置に設置された紐５０と第２の位置に設置された紐５０との２条の紐５０によって構成されている。
【００３６】
従って、花房の枝１４に対して１８０℃の方向に伸びる第１花房の直ぐ上方の１本目の枝葉１１はそのままの状態に放置して、花房の枝１４に対して約９０℃の方向の北または南方向に伸びる第１花房より上方に２本目の枝葉１２を、トマトの主茎から東側又は西側の整枝手段５に固定するとともに、花房の枝１４に対して約９０℃の方向の南または北方向に伸びる第１花房より上方に３本目の枝葉１３を、トマトの主茎から西側又は東側の整枝手段５に固定する。
【００３７】
その際、枝葉１２、１３は、単に、上方に押し上げても、その先端部が整枝手段５と離間して位置することにより、整枝手段５に固定させられないことがある。
その場合には、２本目の枝葉１２の先端側を、隣接する主茎４やその枝葉１２、１３の間から整枝手段５に向けて東側に向けて押し込みつつ上方に押し上げて東側の整枝手段５に固定させるとともに、３本目の枝葉１３の先端側を、隣接する主茎４やその枝葉１２、１３の間から整枝手段５に向けて西側に向けて押し込みつつ上方に押し上げて西側の整枝手段５に固定させる等して、整枝手段５に向けて押し込みつつ上方に押し上げることにより固定する。
すると、２本目の枝葉１２が東側の整枝手段５に固定され、３本目の枝葉１３が西側の整枝手段５に固定されるため、２本目の枝葉１２と３本目の枝葉１３とが異なる整枝手段５に固定されて枝葉１２、１３同士の重なりが防止される。
【００３８】
これにより、２本目および３本目の枝葉１２、１３は、整枝手段５により、その先端部が基端部よりも上方に位置するように固定されるとともに、１本目の枝葉１４が第１花房の茎１４が伸びる方向に対して主茎４を中心に約１８０℃の方向に伸びるため、第１花房の上方の枝葉１１、１２、１３が垂下することにより、花房の上方に覆い被さって日光を遮ることや、枝葉１１、１２同士が被さることによる陰葉の光合成不足が防止される。
さらには、第１花房の上方の枝葉１１、１２、１３や第１花房のみならず、その下の枝葉１８にも充分に日光が当たることから、第１花房の生育が促されるとともに、枝葉１１、１２に加えて、枝葉１３の光合成によって果実の収量や品質を向上させることができる。
【００３９】
そして、第１花房の各花の受粉等によって果実７が実り、これらの果実７の集合体である第１果房１０が構成された後に、十分に日光を浴びて生育した第１果房１０の各果実７を収穫する。
【００４０】
上述のトマトの一段密植栽培方法によれば、複数のトマトの苗を第１花房の枝１４が主茎４から東に向けて伸びるように南北方向に設置された水耕ベット９に定植した後に、主茎４を上記第１花房より上方に３本目の枝葉１３の基端部と第２花房の枝の基端部との間にて摘心して、第１花房より上方に２本目の枝葉１２と３本目の枝葉１３とを、その先端側を上方に押し上げて整枝手段５により、その先端部が基端部よりも上方に位置するように固定したため、すべての枝葉１１、１２、１３を残しつつも枝葉１１、１２、１３、花房及びこれが生育した果房１０並びにその下の枝葉１８が充分に日光を浴びることができ、より多くの葉による光合成によって果実の収量や品質を向上させることができる。
【００４１】
また、整枝手段５によって、枝葉１１、１２、１３と果房１０との間に空間を設けて通気性を積極的に確保できるだけでなく、日光が遮られることや通気性が阻害されることを防止でき、さらには、整枝手段５や他の枝葉１１、１２、１３により葉の裏面全体への薬剤散布が阻害されることもなく、栽培管理を効率的に行うことができる。
【００４２】
なお、本発明は、上述の実施形態に何ら限定されるものでなく、例えば、整枝手段５は、紐５０でなく、網によって構成されていてもよいものである。
【実施例】
【００４３】
次いで、上述の一実施の形態に従ってトマトの苗を育成した実施例１と、その比較の対象としての比較例１と、その他の実施形態に従ってトマトの苗を育成した実施例２と、その比較の対象としての比較例２とを、それぞれ以下に説明する。
【００４４】
［実施例１］
南北方向に設置された湛液式水耕ベット９内に、３月２４日に５葉期程度まで生育したトマトの苗を１２．５ｃｍの間隔で定植して、育成した。
すると、定植後２１日目の４月１４日に第１花房の一番花が開花した。
【００４５】
次いで、この開花日より５日後の４月１９日に、第１花房の上方の２本の枝葉１１、１２を残すように、主茎４を、第１花房より上方に２本目の枝葉１２の基端部と３本目の枝葉１３の基端部との間にて摘心するとともに、整枝手段５を地際部から約６０ｃｍの高さに設置した。その際、第１の位置をすべての主茎４から１０ｃｍ離間した位置として、第２の位置をすべての主茎４から２０ｃｍ離間した位置として、両者の間に１０ｃｍの間隔をあけて２条の紐５０を設置した。
【００４６】
その後、第１花房の開花から１０日後の４月２４日に、これらの２本の枝葉１１、１２、を、それぞれ先端側を、手によって強制的に上方に押し上げて整枝手段５により、その先端部を基端部よりも上方に位置するように固定した状態で、第１花房を育成した。その間にも、第１花房の各花が次々に開花して、受粉等により果実７を実らせた。
次いで、この果実７を育成した後に収穫した。
【００４７】
［比較例１］
まず、実施例１と同様に、湛液式水耕ベット９内に、５葉期程度まで生育したトマトの苗を定植して育成した。すると、定植後２１日目に第１花房の一番花が開花した。
次いで、第１花房の開花日より５日後に、主茎４を、第１花房より上方に２本目の枝葉１２の基端部と３本目の枝葉１３の基端部との間にて摘心し、これらの枝葉１１、１２を上方に押し上げることなく、そのまま育成して、果房１０の果実７を収穫した。
【００４８】
すると、比較例１のトマトは、その一作の栽培期間が実施例１の場合と比較して、７日前後長くなり、その空洞果の発生も実施例１の場合と比較して１０％程度増加してしまった。
【００４９】
［実施例２］
南北方向に設置された湛液式水耕ベット９内に、４月１８日に４葉期程度まで生育したトマトの苗を１０ｃｍの間隔で定植して育成した。その際、各苗の第１花房の枝１４が主茎４から東に向けて伸びるように定植した。
すると、定植後２２日目の５月１０日に第１花房の一番花が開花した。
【００５０】
次いで、この開花日当日の５月１０日に、第１花房の上方の３本の枝葉１１、１２、１３を残すように主茎４を上記第１花房より上方に３本目の枝葉１３の基端部と第２花房の枝の基端部との間にて摘心するとともに、整枝手段５を地際部から約６０ｃｍの高さに設置した。その際、第１の位置をすべての主茎４から１０ｃｍ離間した位置として、第２の位置をすべての主茎４から２０ｃｍ離間した位置として、両者の間に１０ｃｍの間隔をあけて２条の紐５０を設置した。
【００５１】
その後、第１花房の開花から２日後の５月１２日に、２本の枝葉１２、１３の先端側をそれぞれ手によって強制的に上方に押し上げて、整枝手段５により、それらの先端部を基端部よりも上方に位置するように固定した状態で第１花房を育成した。その際、枝葉１２と枝葉１３とは東側または西側の異なる整枝手段５により固定された。
すると、第１花房の各花が次々に開花して、受粉等により果実７を実らせた。
次いで、この果実７を育成した後に収穫した。
【００５２】
［比較例２］
まず、実施例２と同様に、湛液式水耕ベット９内に、４葉期程度まで生育したトマトの苗を１０ｃｍ間隔で定植して育成した。但し、各苗の第１花房の枝１４の伸びる方向を考慮せずに各苗によって枝１４が異なる方向に伸びるように定植した。
すると、定植後２２日目に第１花房の一番花が開花した。
次いで、第１花房の開花当日に、第１花房の上方の３本の枝葉１１、１２、１３を残すように主茎４を上記第１花房より上方に３本目の枝葉１３の基端部と第２花房の枝の基端部との間にて摘心するとともに、実施例２と同様の整枝手段５を設置した。
【００５３】
その後、第１花房の開花から２日後の５月１２日に、第１花房の直ぐ上方１本目の枝葉
１１が隣接する苗の第１花房を遮蔽するため、１本目の枝葉１１を含める枝葉１１、１２、１３の先端側をそれぞれ強制的に上方に押し上げて、整枝手段５により、それらの先端部を基端部よりも上方に位置するように固定した状態で、第１花房を育成した。
すると、第１花房の各花が次々に開花して、受粉等により果実７を実らせ、これらの果実７を育成した後に収穫した。
【００５４】
比較例２のトマトは、東側又は西側の整枝手段５によって枝葉１１、１２、１３のうちの２本の枝葉が固定されていることから、それらの枝葉同士が相互遮蔽されて、葉の黄化が発生し、実施例２と比較して１０％程度収量が減少した。
【図面の簡単な説明】
【００５５】
【図１】本発明に係るトマトの一段密植栽培方法を説明するための概念説明図である。
【図２】図１の要部拡大図である。
【図３】その他の実施形態を説明するための概念説明図である。
【図４】図３の要部拡大図である。
【図５】トマトの苗を一般的な栽培方法によって育成した場合の特性を示す概念説明図である。
【符号の説明】
【００５６】
４      主茎
５      整枝手段
１１、１２、１８  枝葉
１０    果房
５０    紐
【図１】
0005024266.tif 000002
【図２】
0005024266.tif 000003
【図３】
0005024266.tif 000004
【図４】
0005024266.tif 000005
【図５】
0005024266.tif 000006